(57)【特許請求の範囲】
【請求項１】
ケースと、
ケース下側にあって片側が軸支されて開閉自在に構成され、閉じているときは略水平であって開いたときに下側に垂下した状態となる蓋板と、
ケース内で一端が固定されるとともに他端は復元力によりケースの蓋板を常時圧接し、このケースの蓋板が下側に開くように蓋板を下側方向に付勢するスプリングと、
ケース内に収容され、雷撃電流によって発生した磁束が鎖交するコア及び検出コイルと、
ケース内に収容され、検出コイルに誘起される電圧を基準電圧と比較して雷撃検出信号を出力する雷撃検出回路と、
ケース内に収容され、雷撃検出信号に基づいて起動信号を一定期間出力する起動回路と、
ケース内に収容され、蓋板の軸支側とは反対箇所にてカム状のアクチュエータを係合させて蓋板を閉じた状態に維持し、前記起動信号により駆動されてカム状のアクチュエータを回動させて係合を外すことで蓋板を開くようにする起動装置と、
一端が蓋板に取り付けられるとともに他端におもりが取り付けられ、閉じられた蓋板の上に折り畳まれた状態でケース内に配置格納される布状の落雷表示用の表示体と、
を備え、
落雷時に起動装置が蓋板を開くとともにスプリングの付勢力により蓋板が下側方向に垂下して折り畳まれた表示体およびおもりを外部に放出させ、先端のおもりを投下して表示体を拡げた状態にして表示させることを特徴とする再利用型閃絡表示器。
【請求項２】
請求項１記載の再利用型閃絡表示器において、
起動装置の動作により外部に放出された表示体をケース内に再度折り畳んで格納し、カム状のアクチュエータを回動させて蓋板を係止することにより繰り返し使用可能としたことを特徴とする再利用型閃絡表示器。
【発明の詳細な説明】
【０００１】
【発明の属する技術分野】
本発明は、鉄塔の塔脚部等に設置されて雷撃地点を表示するための閃絡表示器に関し、特に、何度でも繰り返し使用可能にした再利用型閃絡表示器に関するものである。
【０００２】
【従来の技術】
従来、雷撃地点を表示させる閃絡表示器は、例えば鉄塔を流れる雷撃電流によって発生する磁束が閃絡表示器内の空芯コイルに鎖交して誘導電流を生じさせ、この電流により発火部を発火させてその爆発エネルギー（ガス圧）により赤色の表示布を外部に放出することにより、鉄塔に落雷したことを遠方からでも容易に確認できるように工夫されている。
【０００３】
【発明が解決しようとする課題】
しかしながら、上述した構造の従来の閃絡表示器では、雷撃時に発火部を発火させる動作原理上、再利用が不可能であり、一度動作した場合にはその全体を交換しなくてはならない。
このため、落雷が頻繁にある地域では、多くの費用がかかり、極めて不経済であった。
【０００４】
そこで本発明は、再利用が可能で経済性が高く、しかも簡単な構成の再利用型閃絡表示器を提供しようとするものである。
【０００５】
【課題を解決するための手段】
上記課題を解決するため、本発明は、
ケースと、
ケース下側にあって片側が軸支されて開閉自在に構成され、閉じているときは略水平であって開いたときに下側に垂下した状態となる蓋板と、
ケース内で一端が固定されるとともに他端は復元力によりケースの蓋板を常時圧接し、このケースの蓋板が下側に開くように蓋板を下側方向に付勢するスプリングと、
ケース内に収容され、雷撃電流によって発生した磁束が鎖交するコア及び検出コイルと、
ケース内に収容され、検出コイルに誘起される電圧を基準電圧と比較して雷撃検出信号を出力する雷撃検出回路と、
ケース内に収容され、雷撃検出信号に基づいて起動信号を一定期間出力する起動回路と、
ケース内に収容され、蓋板の軸支側とは反対箇所にてカム状のアクチュエータを係合させて蓋板を閉じた状態に維持し、前記起動信号により駆動されてカム状のアクチュエータを回動させて係合を外すことで蓋板を開くようにする起動装置と、
一端が蓋板に取り付けられるとともに他端におもりが取り付けられ、閉じられた蓋板の上に折り畳まれた状態でケース内に配置格納される布状の落雷表示用の表示体と、
を備え、
落雷時に起動装置が蓋板を開くとともにスプリングの付勢力により蓋板が下側方向に垂下して折り畳まれた表示体およびおもりを外部に放出させ、先端のおもりを投下して表示体を拡げた状態にして表示させることを特徴とする。
そして、前記起動装置の動作により外部に放出された表示体をケース内に再度折り畳んで格納し、カム状のアクチュエータを回動させて蓋板を係止することにより繰り返して使用可能としたものである。
【０００６】
【発明の実施の形態】
以下、図に沿って本発明の実施形態を説明する。
図１はこの実施形態の内部構造を示す図であり、この閃絡表示器は例えば、鉄塔の塔脚部に設置される。ケース１１の内部には、フェライト等の磁性体からなるコア１２とその周囲に巻き付けられた検出コイル１３が配置されており、検出コイル１３の両端は雷撃検出回路１４の入力側に接続されている。
【０００７】
雷撃検出回路１４から出力される雷撃検出信号は電子回路からなる起動回路１５に入力されており、この起動回路１５には電源１７及びリレーコイル１６が接続されている。
また、電源１７には前記リレーコイル１６の接点１６aを介してモータやソレノイド等の起動装置１８が接続されており、この起動装置１８にはカム等のアクチュエータ１９が取り付けられている。
【０００８】
一方、ケース１１内の仕切板２３にはスプリング２０の一端が固定され、その他端は自身の復元力によって蓋板２２を常時圧接している。なお、蓋板２２は後述するように片側がケース１１の底部に支持されていて、開閉可能となっている。
また、蓋板２２の内側には、赤色等の目立つ色彩の表示帯２１が折り畳まれた状態で収納されている。ここで、落雷表示用の表示体である表示帯２１は、樹脂によって構成されている。
なお、表示体は図示するような表示帯２１に何ら限定されず、他の形状、材質、色彩のものでも良いのは勿論である。
【０００９】
次に、この実施形態の動作を、図１、図２を参照しつつ説明する。
鉄塔に落雷し、その塔脚部に雷撃電流ｉが流れると、これによって生じた磁束Φがコア１２を通って検出コイル１３に鎖交するため、コイル１３の両端には電圧Ｖが誘起される。その際、検出コイル１３は中心にコア１２を備えているので、大きな誘起電圧Ｖを得ることができ、検出感度、検出精度の向上が可能になっている。
【００１０】
この電圧Ｖは雷撃検出回路１４に入力され、図２（ａ）に示す如く所定の基準電圧Ｖrと比較される。その結果、図２（ｂ）に示すような雷撃検出信号（パルス）が起動回路１５に出力される。
【００１１】
起動回路１５では、図２（ｃ）に示すように、雷撃検出信号の立ち上がりエッジから一定期間Ｔだけ「Highレベル」となるような起動信号が生成され、この信号がリレーコイル１６に出力される。この動作は、単安定マルチバイブレータ等によって容易に実現可能である。
これにより、リレー接点１６ａが一定期間Ｔだけ閉じられるので、起動装置１８に電源１７の電圧が供給され、起動装置１８は上記期間Ｔにわたって動作する。
【００１２】
例えば、アクチュエータ１９をカム状に形成し、これが起動装置１８により時間Ｔだけ回動することで蓋板２２との係合が外れるようにしておけば、雷撃検出時に蓋板２２をスプリング２０の復元力によって開放することができる。
図３は、蓋板２２が開放された状態を図１の側方から見たものであり、蓋板２２の開放に伴ってそれまで折り畳まれていた表示帯２１が外部に放出され、おもり２３の作用で下方に垂れ下がる。
従って、遠方からでも、この閃絡表示器が設置されている鉄塔に落雷したことが容易に認識可能となる。
【００１３】
このように、本発明の閃絡表示器は発火部の発火動作を必要とせず、一度動作した後は表示帯２１を元のように折り畳んで蓋板２２の内側に収納し、アクチュエータ１９を回動させて蓋板２２を係止させることにより、図１に示した動作前の状態に復帰させることができる。
すなわち、何度でも繰り返して使用可能なため、従来のように落雷によって動作する都度、交換する面倒がなく、経済性に優れていると共に、交換作業の煩雑さもない。
【００１４】
なお、起動装置１８を動作させて蓋板２２を開放させるための構造は、図示したものに何ら限定されず、モータやソレノイド等の動作に連動して蓋板２２の支持部材による支持や係合を解除する構造であれば、いかなる構造でも良い。
また、雷撃検出回路１４の入力電圧Ｖの大きさから雷撃電流の大きさを演算してその都度、ＲＡＭ等のメモリに記憶しておき、その内容を外部から読み出してプリンタにより印字出力もしくはディジタル信号として伝送、表示するように構成することも可能である。
【００１５】
【発明の効果】
以上述べたように本発明によれば、従来の発火型の閃絡表示器のように発火部の動作によって表示する方式ではなく、あくまで電気的、機械的に表示体（表示帯）を外部に放出する方式であるため、表示体をケース内に戻せば何回でも使用することが可能である。
このため、落雷の度に全体を交換する無駄がなくなり、経済性を大幅に高めることができる。
また、前述したように検出コイルの中心にコアを有するため、雷撃時の検出電圧を大きくとることができ、検出感度や検出精度の向上、検出誤差の低減が可能になる。
【図面の簡単な説明】
【図１】本発明の実施形態の内部構造を示す図である。
【図２】図１の実施形態における各部の出力電圧、出力パルスの説明図である。
【図３】本発明の実施形態の動作を示す図である。
【符号の説明】
１１  ケース
１２  コア
１３  検出コイル
１４  雷撃検出回路
１５  起動回路
１６  リレーコイル
１６a  接点
１７  電源
１８  起動装置
１９  アクチュエータ
２０  スプリング
２１  表示帯
２２  蓋板
２３  おもり
【図１】
0004179670.tif 000002
【図２】
0004179670.tif 000003
【図３】
0004179670.tif 000004